(57)【要約】【課題】内部に緩衝材として機能する箱と一体の保護筒を設け、その保護筒に商品を入れて保護する六面体の包装箱に比べてコスト面では遜色が無く、商品の箱詰めの作業性や商品保護の機能に関しては上記の包装箱に勝る性能を発揮する包装箱を提供することを課題としている。【解決手段】一体の上蓋２ｆを有する六面体の箱２の内部に保護筒３を設け、その保護筒３に商品を入れて保護する包装箱の前記保護筒３を、独立した角筒として構成して箱の内部に取り出し自在に挿入し、さらに、この保護筒３に、前部パネル３ａと後部パネル３ｂの両側縁から側方に突出する切り起し舌片３ｅと、側部パネル３ｃ、３ｄの前縁と後縁からそれぞれ前後方向に突出する切り起し舌片３ｆを設け、それらの切り起し舌片がスペーサとなって、箱２の前面、背面、両側面の各パネル２ａ〜２ｄと保護筒３との間に緩衝用の隙間が形成されるようにした。【選択図】図１
2012184024.tif 000002
【特許請求の範囲】
【請求項１】
前面パネル（２ａ）又は背面パネル（２ｂ）に連なる上蓋（２ｆ）を備えた六面体の箱（２）と、前部パネル（３ａ）、後部パネル（３ｂ）、左右の側部パネル（３ｃ，３ｄ）を有する保護筒（３）を組み合わせて構成される包装箱であって、
前記保護筒（３）が独立した角筒として構成されて前記箱（２）の内部に取り出し自在に挿入され、
さらに、この保護筒（３）に、前記左右の側部パネル（３ｃ，３ｄ）の前縁と後縁からそれぞれ前後方向に突出する切り起し舌片（３ｅ）と、前記前部パネル（３ａ）と後部パネル（３ｂ）の両側縁から側方に突出する切り起し舌片（３ｆ）が設けられ、それらの切り起し舌片がスペーサとなって、箱（２）の前面、背面、両側面の各パネル（２ａ〜２ｄ）と前記保護筒（３）との間に緩衝用の隙間（ｇ）が形成されるようにした包装箱。
【請求項２】
前記保護筒の前部パネル（３ａ）と後部パネル（３ｂ）に、保護筒（３）の外側に突出する切り起し舌片（３ｉ）を設けた請求項１に記載の包装箱。
【発明の詳細な説明】
【技術分野】
【０００１】
この発明は、厚紙や樹脂の薄板などで形成される包装箱、詳しくは、商品を保護する保護筒を内部に設けた包装箱に関する。
【背景技術】
【０００２】
コンパクトサイズの化粧品などを収納する包装箱として、図７に示すものが実用に供されている。その図７の包装箱は、四角い箱２０の内部に、箱と一体の平面視四角形の保護筒２１を有する。
【０００３】
箱の内部に緩衝材を入れ、その緩衝材で商品を包んで保護することが従来から行われている（下記特許文献１，２を参照）。図７の包装箱の保護筒２１は、その緩衝材の一種と考えてよい。
【０００４】
その保護筒２１は、箱の片方の側面パネル２２、正面パネル２３、他方の側面パネル２４、背面パネル２５、保護筒の片方の側部パネル２６、前部パネル２７、他方の側部パネル２８、後部パネル２９、前記側部パネル２６の内面に貼り付ける糊代３０を順に連ねたブランクシートを順次折り曲げ、糊代３０を側部パネル２６の内面に、また、側部パネル２６，２８を箱の側面パネル２２，２４の内面にそれぞれ糊付けして形成されている。
【０００５】
この保護筒２１の前部パネル２７と箱の正面パネル２３との間、及び後部パネル２９と箱の背面パネル２５との間にはそれぞれ所定の隙間ｇが設けられており、その隙間ｇによる緩衝作用で保護筒２１の内部に納めた商品が保護される。
【先行技術文献】
【特許文献】
【０００６】
【特許文献１】特開２００９−６２０７５号公報
【特許文献２】特開平６−３２１２５９号公報
【発明の概要】
【発明が解決しようとする課題】
【０００７】
前記特許文献２の緩衝材は、複数のピースを組み合わせて使用するため、コストが高くつく。また、独立したピースを１個ずつ箱に入れる必要があるため、商品の箱詰めが煩雑になる。
【０００８】
一方、特許文献１が開示している緩衝材は、第１、第２の枠状板を直交させて組み合わせることでこれ等の枠状板の内側に被包装物の保持空間を作り出しており、構造が簡素で、コストも少なくて済む。この緩衝材は、箱の左右の側面パネル間に片方の枠状板を、箱の正面パネルと背面パネル間に他方の枠状板をそれぞれ配置すれば、奥行きの小さい扁平な商品を扁平な箱に収納する用途にも利用可能である。
【０００９】
しかしながら、これは、強度面から第１、第２の枠状板の枠の幅（内縁から外縁までの寸法）をある程度大きくする必要があり、それが原因で箱と第１、第２の枠状板との間に出来る空間が大きくなるため、箱の大きさが必要以上に大きくなる欠点がある。
【００１０】
これに対し、図７の包装箱は、１枚のブランクシートを、渦を巻くように順次折り曲げているので、コスト負担も小さく、小サイズで扁平な商品を収納するのに適している。しかしながら、この包装箱は、保護筒２１が箱の内部に予め作りつけられているため、商品を保護筒２１の中に入れるのが簡単でなく、商品の箱詰めの作業性に不満があった。
【００１１】
また、箱に収納した商品の前後方向（箱の奥行き方向）への動きに対しては、前記隙間ｇによる緩衝効果が発揮されるが、商品の横への動きに対しては、保護筒の側部パネルが箱の側面パネルに直接貼り付けられているため緩衝効果が発揮されないのも問題であった。
【００１２】
そこで、この発明は、図７の包装箱に比べてコスト面では遜色が無く、その一方で、商品の箱詰めの作業性や商品保護の機能に関しては図７の包装箱に勝る性能を発揮する包装箱を実現して提供することを課題としている。
【課題を解決するための手段】
【００１３】
上記の課題を解決するため、この発明においては、前面パネル又は背面パネルに連なる上蓋を備えた六面体の箱と、前部パネルと、後部パネルと、左右の側部パネルを有する保護筒を組み合わせて構成される包装箱を以下の通りに構成した。
即ち、前記保護筒が、独立した角筒として構成されて箱の内部に取り出し自在に挿入され、
さらに、この保護筒に、前記前部パネルと後部パネルの両側縁から側方に突出する切り起し舌片と、前記側部パネルの前縁と後縁からそれぞれ前後方向に突出する切り起し舌片が設けられ、それらの切り起し舌片がスペーサとなって、箱の前面、背面、両側面の各パネルと前記保護筒との間に緩衝用の隙間が形成されるようにした。
【００１４】
この包装箱は、必要に応じて、保護筒の前部パネルと後部パネルに、保護筒の外側に突出する切り起し舌片を設けることができる。その切り起し舌片の突出量は、側部パネルの前縁と後縁から前後方向に突出する前記切り起し舌片と同程度が好ましい。
【発明の効果】
【００１５】
この発明の包装箱は、箱から取り出した保護筒に商品を挿入し、その後、商品の納まった保護筒を箱に入れることができるので、保護筒が予め箱の内部に一体に作り込まれている図７の包装箱に比べて商品の収納が容易で、箱詰めの作業性に優れる。
【００１６】
また、同一サイズの箱を考えたときの材料費が図７の包装箱と殆ど同じになる。加えて、図７の包装箱は、糊代３０、側部パネル２８、糊代を兼ねた側部パネル２６を順に糊付けする必要があり、糊付けが３回となるのに対し、この発明の包装箱は、箱の各パネルと保護筒の各パネルをそれぞれにエンドレスにつなぐための糊付けの工程を経ればよく、組立ての手間が図７の包装箱よりも少なくなる。
【００１７】
さらに、緩衝用の隙間が保護筒と箱の側面パネルとの間にも形成されるため、収納した商品の横への動きに対しても緩衝効果が発揮され、図７の包装箱よりも商品の保護機能が高まる。
【図面の簡単な説明】
【００１８】
【図１】この発明の包装箱の一例を、保護筒を抜き出した状態にして示す斜視図
【図２】図１の包装箱の一部を、底蓋を開いた状態にして示す斜視図
【図３】図１の包装箱の、箱用ブランクシートを展開して示す図
【図４】図１の包装箱の、保護筒用ブランクシートを展開して示す図
【図５】図１の包装箱を高さ方向途中で切断して切断部を上から直視した図
【図６】保護筒の変形例を示す斜視図
【図７】（ａ）箱と一体の保護筒を有する改善前の包装箱の斜視図、（ｂ）同上の包装箱を高さ方向途中で切断して切断部を上から直視した図
【発明を実施するための形態】
【００１９】
以下、添付図面の図１〜図６に基づいて、この発明の包装箱の実施の形態を説明する。図示の包装箱１は、箱２と、その箱の内部に設ける保護筒３を組み合わせてなる。
【００２０】
箱２は、平行配置の正面パネル２ａと背面パネル２ｂ、同じく平行配置の左右の側面パネル２ｃと２ｄ、背面パネル２ｂと片側の側面パネル２ｃをつなぐ糊代２ｅを有し、さらに、正面パネル２ａの上縁に折り目線を介して順に連ならせた上蓋２ｆと差し込み片２ｇ、背面パネル２ｂの下縁に折り目線を介して順に連ならせた底蓋２ｈと差し込み片２ｉ、側面パネル２ｃ，２ｄの上縁と下縁にそれぞれ折り目線を介して連ならせたフラップ２ｊを有する六面体のありふれた構造の箱である。上蓋２ｆは、背面パネル２ｂの上縁に連接されていてもよい。
【００２１】
その箱のブランクシートの一例を図３に示す。例示の箱２は、図示のブランクシートを折り目線２ｋの位置で折り曲げて作られている。
【００２２】
保護筒３は、箱の正面パネル２ａの内側に沿わせる前部パネル３ａと、箱の背面パネル２ｂの内側に沿わせる後部パネル３ｂと、箱の左右の側面パネル２ｃ，２ｄの内側に添わせる左右の側部パネル３ｃ、３ｄと、前記側部パネル３ｃ、３ｄの前縁と後縁からそれぞれ前後方向に突出する切り起し舌片３ｅと、前記前部パネル３ａと後部パネル３ｂの両側縁から側方に突出する切り起し舌片３ｆを有する角筒として構成されている。
【００２３】
この保護筒３は、箱２から独立させて箱２の内部に取り出し自在に挿入しており、これと、切り起し舌片３ｅ，３ｆを備えたことが図７の包装箱の保護筒２１と異なる。
【００２４】
切り起し舌片３ｅ，３ｆは、図４に示した保護筒用ブランクシートを、折り目線３ｈに沿って折り曲げたときに自然に切り起こされるようにしている。折り目線３ｈは、前部、後部、両側部の各パネル間、及び、糊代３ｇと側部パネル３ｃとの間にある。
【００２５】
この切り起し舌片３ｅ，３ｆが、保護筒３を箱２の内部に挿入したときにスペーサとして働き、図５に示すように、箱の前面、背面、両側面の各パネル２ａ〜２ｄと保護筒３との間に緩衝用の隙間ｇを生じさせる。その隙間ｇによる緩衝作用で保護筒３に収納した商品が衝撃から保護され、図７の包装箱よりも商品保護の信頼性が高まる。
【００２６】
また、この発明の包装箱に対する商品の収納は、保護筒３を箱２から外に出し、この状態で保護筒３の内部に商品を挿入し、その後、商品の納まっている保護筒３を箱２に挿入する方法で行うことができる。これにより、図７の包装箱に比べて商品の収納が容易になり、箱詰めの作業性が向上する。
【００２７】
なお、保護筒３の前部パネル３ａと後部パネル３ｂには、必要に応じて保護筒の外側に突出する切り起し舌片３ｉ（図６参照）を設けることができる。その切り起し舌片３ｉは
、縦長形状に限定されない。横長形状やパネルの対角線方向に延びるようなものであってもよい。
【００２８】
保護筒３を構成するブランクシートの厚み次第では、保護筒３の前部パネル３ａと後部パネル３ｂが外に膨らむように変形する（撓む）ことが考えられるが、切り起し舌片３ｉがあればそのような変形が生じて前部パネルや後部パネルが箱の正面パネルや背面パネルに直に接触することが防止される。
【符号の説明】
【００２９】
１          包装箱
２          箱
２ａ        正面パネル
２ｂ        背面パネル
２ｃ，２ｄ  側面パネル
２ｅ        糊代
２ｆ        上蓋
２ｇ，２ｉ  差し込み片
２ｈ        底蓋
２ｊ        フラップ
２ｋ        折り目線
３          保護筒
３ａ        前部パネル
３ｂ        後部パネル
３ｃ，３ｄ  側部パネル
３ｅ，３ｆ，３ｉ  切り起し舌片
３ｇ        糊代
３ｈ        折り目線
ｇ          隙間
【図１】
2012184024.tif 000003
【図２】
2012184024.tif 000004
【図３】
2012184024.tif 000005
【図４】
2012184024.tif 000006
【図５】
2012184024.tif 000007
【図６】
2012184024.tif 000008
【図７】
2012184024.tif 000009